(57)【要約】１ヶ月を３１日で固定・標準化し、日数を７日単位で縦、または横１列に記し、５週に分けた表で、月と７曜を表示する空欄部を１週目に隣接するように設け、１週目に１〜７日、２週目に８〜１４日、３週目に１５〜２１日、４週目に２２〜２８日、そして５週目に２９〜３１日の日数を記し、所定の空欄部に月と７曜を、使用者が製品添付のシールなどの表示補助具で表示し、日数部分と照し合せ、自由に使用年月が決められることを特徴とする、暦の製作方法。
2004039603.tif 000002
【特許請求の範囲】
【請求項１】
１ヶ月を３１日で固定・標準化し、日数を７日単位で縦、または横１列に記し、５週に分けたシート５枚からなり、１週目のシートには左端、または上端に月と７曜を表示する空欄部を設け、１〜７日の日数を記し、２週目は８〜１４日の、３週目は１５〜２１日の、４週目は２２〜２８日の、そして５週目のシートに２９〜３１日の日数を記し、１週目のシートに設けた空欄部に月と７曜を、使用者が添付のシールなどの表示補助具を用いて表示し、日数表記部分と照し合せ、自由に使用年月が決められることを特徴とする、暦の製作方法。
【請求項２】
１ヶ月を３１日で固定・標準化し、日数を７日単位で縦、または横１列の５週で記した１枚のシート上の表で、左端、または上端に月と７曜を表示する空欄部を設け、左詰め、または上詰めで並ぶ１週目に１〜７日の、２週目は８〜１４日の、３週目は１５〜２１日の、４週目は２２〜２８日の、そして５週目に２９〜３１日の日数を記し、所定の空欄部に月と７曜を、使用者が添付のシールなどの表示補助具を用いて表示し、日数表記部分と照し合せ、自由に使用年月が決められることを特徴とする、暦の製作方法。
【請求項３】
１枚の導磁性素材で出来た、専用ペンと消去具で任意の情報を書き込め、消去可能なホワイトボード面に記された表で、１ヶ月を３１日で固定・標準化し、日数を７日単位で縦、または横１列の５週で記した表の左端、または上端に月と７曜を表示する空欄部を設け、左詰め、または上詰めで並ぶ１週目は１〜７日の、２週目は８〜１４日の、３週目は１５〜２１日の、４週目は２２〜２８日の、そして５週目は２９〜３１日の日数が記され、所定の空欄部に、使用者が月や７曜を表示するための、磁石やシール、静電気などを用いた着脱自在な表示具の備品で表示し、日数表記部分と照し合せ、自由に使用年月が決められることを特徴とする、暦の製作方法。
【発明の詳細な説明】
【技術分野】    本発明は、１ヶ月を３１日で固定・標準化し、日数を７日単位で縦、または横１列の５週に分け、使用者が月や７曜を添付の表示補助具を用いて所定空欄に表示し、日数表記と照応することで、自由に使用年月が決められる機能を持つ、日記帳・手帳・報告書・家計簿・カレンダーなどの、暦の製作方法に関する。
【背景技術】    従来の製品は、例えばビジネスダイアリーなら、日々の情報記入欄は、全て当日限定仕様で、消費期限があった。製品の各ページ情報は同じに見えても、年月曜日が固定されるため少しずつ違っており、単純な日記以外各ページは個別に印刷されるため標準化できず、製造コスト・資源がかかり、歩留まりが良くない。
当該製品は毎年買換え需要がある秋から年初に、書店・文具店等で山積・集中販売され、使用期限が迫れば、割引販売か、返品される市場が定着している。また、リーフ補充式製品などもあるが、それでも製品には使用期限があった。
また、カレンダーもこの期間だけが、製品販売の機会であることが多かった。
従って、本発明は、使用者が自由に使用年月が決められることを特徴としたダイアリー製品、同様に、カレンダーや暦機能を持つボード製品の技術として、従来製品では解消できなかった、特定年月日の情報印刷・製造工程で多くの資源がかかった点、消費期限があるために廉売や返品など販売や物流管理の負担が多い点、製品価格に反映されたコスト・資源・環境面の課題が棚上されていた点、消費者も購入製品の不要なコスト負担や環境問題には関与できなかった点、使用期を問わない自由な買換えや紛失時の効率的な製品補充が難しかった点などの、諸問題を解決するための、暦の製作方法を提供することを目的としている。
【発明の開示】
本発明は、１ヶ月を３１日で固定・標準化し、日数を７日単位で縦、または横１列に記し、５週に分けたシート５枚からなり、１週目のシートには左端、または上端に月と７曜を表記する空欄部を設け、１〜７日の日数を記し、２週目は８〜１４日の、３週目は１５〜２１日の、４週目は２２〜２８日の、そして５週目のシートに２９〜３１日の日数を記し、所定空欄に月と７曜を、使用者が製品に添付するシールなどの表示補助具を用いて表示し、日数表記部分と照し合せ、自由に使用年月が決められることを特徴とする、暦の製作方法を利用し、従来製品のコスト・環境・流通上の諸問題を解決する様々な製品の提供が可能になった。
また、従来、製品に付与されていた、祝祭日他の情報は、製品の付録で提供するか、各自がインターネットや書籍の情報等で入手し解決するものとした。
また、この原理で、カレンダーや万年暦機能を持つボードも作る事ができる。
【図面の簡単な説明】    第１図は、実施製品の構成例で、第２図は、製品の物理的特性に依存しない、本発明の原理を示す。第３図はカレンダーや表示ボード等への応用方法である。
【発明を実施するための最良の形態】    本発明をより詳細に説述するために、添付の図面に従ってこれを説明する。
第１図は、実施製品の構成例で、本発明の暦の製作方法を用いた製品は、紙製バイブル型手帳、Ａ４判卓上日誌、家計簿など、広範囲の実用品で実施される。
第２図は、製品の物理的な特性に依存しない、本発明原理の概念図である。製品仕様は第２図のように、１ヶ月を３１日で固定・標準化し、日数を縦、または横に記して５週に分けたシート１〜５が基本で、１の左端、または上端に月と７曜を表示する、２〜５より幅広な空欄部分を設け、１日〜７日の日数を記し、２は８日〜１４日の、３は１５日〜２１日の、４は２２日〜２８日の、そして５は２９日〜３１日を記し、各々情報記録面も設ける。表記日と、１に７として製品に添付する紙シール等でできた表示補助具で表示した月と７曜を照し合せ、自由に使用年月が決められることが特徴となる製品に用いる、暦の製作方法である。
また、製品付録のシート７は、特定日の情報や、祝祭日、記念日、満月・新月、その他情報を製品に添付して、情報検索や記入の労力を和らげ、製品を使いやすくする。また、消費期限の無い本発明を損なわないよう、７は年月に依存しない情報を中心に作り、また紙製のシールなら、高温多湿等、使用環境下での劣化に一定期間耐える素材で提供し、シート１に貼付け易くするため、ミシン目を入れるなど、情報を個別に切り離し易くする。使用する糊も、剥がれ落ちず、また、扱いやすい最適な原料とする。また、環境問題も考慮した材料を使用する。
第３図は、カレンダーやボードとして使用する本発明原理の概念図である。万年暦として使う製品以外、各月数は通年使うのであらかじめ記してあって良い。
ホワイトボード・スケジュールボードの万年暦表示方法にも応用できる。その際、第１図の６の機能を持つボードで、７は前掲請求項で使用するのと同等の機能を持ちながら、磁石やシール、静電気で着脱可能な表示補助具を備品とする。
さらには、１年が１３月で各月が２８日の、国連で提唱された改暦候補の世界暦カレンダーとしても、本発明の暦が流用でき、現行暦との橋渡しにもなる。
【産業上の利用可能性】    以上のように、本発明の暦の製作方法は、製品メーカーにとっては、仕様標準化と消費期限解消により諸コストを削減し、製品の大量生産・流通管理が容易となり、利益を上げ、環境問題にも貢献する。消費者も従来の暦機能を使ったビジネスダイアリー・日記帳・手帳・報告書・家計簿・カレンダー・シートの持つ欠点を主体的に克服でき、従来品より無駄無く使え、資源環境問題に貢献できる。
また、月の仕様を統一して毎月整然と１日で始まる、年月日と連動した情報が、既存品よりシンプルにデータとして蓄積、整理、検索、活用しやすくなった、使用者が使用開始年月を問わず、月と７曜を表示すれば、自由に使用年月が決められることを特徴とする、暦の製作方法を用いた製品を提供することができる。
【図１】
2004039603.tif 000003
【図２】
2004039603.tif 000004
【図３】
2004039603.tif 000005
【国際調査報告】
2004039603.tif 000006
2004039603.tif 000007
2004039603.tif 000008
2004039603.tif 000009